(57)【要約】【課題】複数のレジ袋を支持するとともに、そのレジ袋内に物品を収容する作業性を維持または向上させ得るレジ袋保持具およびこれを備えた支払いカウンターを提供する。【解決手段】このレジ袋保持具５は、レジ袋Ｐの二箇所の持ち手部Ｐ１にそれぞれ形成された掛止穴Ｐ２にそれぞれ掛け止め可能な一対の持ち手部掛止棒４０Ａを備えている。そして、この一対の持ち手部掛止棒４０Ａは、取付部材８に、相互が水平方向に適宜の距離を隔てて張り出して設けられており、さらに、各持ち手部掛止棒４０Ａは、取付部材８側の基端側支持部４２と、この基端側支持部４２より低い位置に向けて且つ相互の水平方向での距離を拡幅させつつ延びる延出部４４と、この延出部４４の先端部側でレジ袋Ｐを開口した状態でその底部Ｐ５をテーブル面等の当接すべき面に当接させる高さで支持する先端側支持部４６と、を有して形成されている。【選択図】図１
2007069953.tif 000002
【特許請求の範囲】
【請求項１】
複数枚のレジ袋をテーブル上で支持して、各レジ袋内への物品の収容を助成するために用いられ、レジ袋の二箇所の持ち手部にそれぞれ形成された掛止穴にそれぞれ掛け止め可能な掛止棒である一対の持ち手部掛止棒と、その持ち手部掛止棒が取り付けられる取付部材と、を備えるレジ袋保持具であって、
前記一対の持ち手部掛止棒は、取付部材に、相互が水平方向に適宜の距離を隔てて張り出して設けられており、さらに、各持ち手部掛止棒は、取付部材側の基端側支持部と、この基端側支持部より低い位置に向けて且つ相互の水平方向での距離を拡幅させつつ延びる延出部と、この延出部の先端部側でレジ袋の底部をテーブル面等の当接すべき面に当接させる高さで支持する先端側支持部と、を取付部材側からこの順に有して形成されていることを特徴とするレジ袋保持具。
【請求項２】
前記取付部材には、一対の持ち手部掛止棒同士の間に、支持するレジ袋の封緘部側に向けた面を有する舌片状の板部材が垂下されて設けられており、さらに、その板部材の封緘部側に向けた面には、レジ袋の封緘部に形成された掛止穴に掛け止め可能な掛止棒である封緘部掛止棒が、板部材の下端側から適宜の距離を隔てた位置で張り出して設けられていることを特徴とする請求項１に記載のレジ袋保持具。
【請求項３】
前記取付部材は、ベース部と、このベース部上に立設する支持ロッドと、この支持ロッドの上部に装着されて前記掛止棒が設けられる取付部と、を備えて構成されており、
前記取付部は、前記一対の持ち手部掛止棒および封緘部掛止棒の組を、その周方向に複数組備えていることを特徴とする請求項２に記載のレジ袋保持具。
【請求項４】
前記支持ロッドは、ベース部上に下端側が固定される中空円筒状の下部支持ロッドと、この下部支持ロッドの上端側からその周方向に回転可能に内嵌する中空円筒状の中央部支持ロッドと、この中央部支持ロッドの上端側からその軸方向に摺動可能に内嵌するとともに上部に前記取付部が装着される上部支持ロッドと、中央部支持ロッドに対する上部支持ロッドの軸方向での位置を決めるとともにその係脱を可能とする軸方向高さ調整手段と、を備えて構成されていることを特徴とする請求項３に記載のレジ袋保持具。
【請求項５】
請求項１〜４のいずれか一項に記載のレジ袋保持具を支払いカウンターのテーブル上に載置していることを特徴とする支払いカウンター。
【発明の詳細な説明】
【技術分野】
【０００１】
本発明は、レジ袋保持具およびこれを備えた支払いカウンターに関する。
【背景技術】
【０００２】
例えばスーパーマーケット等では、買い物客が商品等の物品を持ち帰るために、いわゆるレジ袋が用いられている。この種のレジ袋には持ち手部が二箇所ある。そして、その持ち手部同士の間には耳状の封緘部が形成されたものが一般的であり、使用前は、これが折りたたまれて密着した状態で積層されている。
ところで、このレジ袋内に物品を収容するに際し、例えばレジ担当の店員や買い物客は、通常、複数枚のレジ袋が密着した状態から一枚を手で取り、そのレジ袋を開いた状態にしてから片手で保持しつつ、他方の手でレジ袋内に物品を収容する。そのため、開いたレジ袋の保持が困難であったり、また、レジ袋内への物品の収容作業に手間が掛かる等の不便があった。
【０００３】
そこで、複数枚のレジ袋をテーブル上で支持して、各レジ袋内への物品の収容を助成するために用いられるレジ袋保持具が考えられている。
この種のレジ袋保持具として、例えば特許文献１に記載の技術では、レジ袋には、その二箇所の持ち手部および封緘部にそれぞれ掛止穴を形成しており、レジ袋保持具（保持架台）は、その各掛止穴にそれぞれ掛け止め可能な三本の掛止棒を一組備えている。これら一組の掛止棒は、その一端が取付部材に固定されて、それぞれ略水平に配置されている。
【０００４】
この特許文献１に記載の技術によれば、予め、複数枚のレジ袋を、このレジ袋保持具に積層されて密着した状態で掛止めておくことができる（以下、本明細書において、「複数枚のレジ袋をレジ袋保持具に積層されて密着した状態で掛止めておくこと」を「スタック」とよぶ）。そして、例えばレジ担当の店員や買い物客は、まず、このスタックされた複数枚のレジ袋から、手前の一枚のレジ袋の封緘部を封緘部の掛止棒に抗する方向に手で引き破り、次いで、左右の各持ち手部の掛止棒に沿ってそのレジ袋の封緘部を手前に引くことで、レジ袋を開くことができる。このとき、レジ袋は、この開いた状態でレジ袋保持具で支持される。そのため、手でレジ袋を保持することが不要であり、レジ袋内への物品の収容作業が容易になる。
【０００５】
また、例えば特許文献２に記載の技術では、この種のレジ袋保持具を、支払いカウンター（レジスター台）に備えた構成が開示されている。この種のレジ袋保持具を支払いカウンターに備えれば、例えばレジ担当の店員は、一名で、端末への入力処理とレジ袋内への物品の収容作業とを効率良く行なうことができる。
【特許文献１】特開２００１−１０６２４１号公報
【特許文献２】特開平８−２０５９７２号公報
【発明の開示】
【発明が解決しようとする課題】
【０００６】
しかしながら、例えば特許文献１に記載の技術では、各掛止棒は、それぞれ略水平に取付部材に固定されているので、スタックされた状態と、手前の一枚のレジ袋を開いた状態で支持して物品をレジ袋内へ収容する収容状態とは、掛止棒の支持部が共に同じ高さになる。
そのため、例えば、スタックされた状態でのテーブル上面からの支持部の高さを、折りたたんだ状態のレジ袋の底部がテーブル上面に当接しないように垂下可能な高さに設定した場合には、レジ袋内に物品を収容すると、左右の各持ち手部が物品の重さで引っ張られることになり、その張力で開口部が狭められてしまう。したがって、レジ袋内に順に物品を収容する作業性が低下する。
【０００７】
一方、スタックされた状態でのテーブル上面からの支持部の高さを下げて、レジ袋の底部がテーブル上面に当接するような高さに設定した場合には、レジ袋を折りたたんだ状態での自然な垂下姿勢で掛止めておくことができない。したがって、複数のレジ袋を自然な垂下姿勢でスタックさせる上で望ましいとはいえない。
そして、このような問題点は、例えば特許文献２に記載の技術のように、この種のレジ袋保持具を支払いカウンター（レジスター台）に備えた構成とし、例えばレジ担当の店員が一名だけで、端末への入力処理とレジ袋内への物品の収容作業とを効率良く行なう上で使い勝手の悪いものとなる。
そこで、本発明は、このような問題点に着目してなされたものであって、複数のレジ袋を支持するとともに、そのレジ袋内に物品を収容する作業性を維持または向上させ得るレジ袋保持具およびこれを備えた支払いカウンターを提供することを目的としている。
【課題を解決するための手段】
【０００８】
上記課題を解決するために、本発明は、複数枚のレジ袋をテーブル上で支持して、各レジ袋内への物品の収容を助成するために用いられ、レジ袋の二箇所の持ち手部にそれぞれ形成された掛止穴にそれぞれ掛け止め可能な掛止棒である一対の持ち手部掛止棒と、その持ち手部掛止棒が取り付けられる取付部材と、を備えるレジ袋保持具であって、前記一対の持ち手部掛止棒は、取付部材に、相互が水平方向に適宜の距離を隔てて張り出して設けられており、さらに、各持ち手部掛止棒は、取付部材側の基端側支持部と、この基端側支持部より低い位置に向けて且つ相互の水平方向での距離を拡幅させつつ延びる延出部と、この延出部の先端部側でレジ袋の底部をテーブル面等の当接すべき面に当接させる高さで支持する先端側支持部と、を取付部材側からこの順に有して形成されていることを特徴としている。
【０００９】
本発明によれば、一対の持ち手部掛止棒は、その基端側支持部が、例えばレジ袋を折りたたんだ状態で垂下可能な高さに設定可能である。このような位置に設定すれば、その位置で、複数のレジ袋を自然な垂下姿勢でスタックさせておくことができる。そして、先端側支持部は、レジ袋の底部をテーブル面等の当接すべき面に当接させる高さになっているので、この位置でレジ袋を開口した状態とし、そのレジ袋内に物品を収容しても、左右の各持ち手部が物品の重さで引っ張られることがない。そのため、開口部が張力で狭められることがないので、レジ袋内に順に物品を収容する作業性を維持または向上させることができる。
【００１０】
なお、「テーブル面等の当接すべき面」とは、テーブル面、および、例えばレジ袋の底部とテーブル面との間に別部材が介装された場合に、その別部材の上面を含む意味である。例えばこの別部材の上面がレジ袋の底部が当接する面であっても、上記同様に、レジ袋を開口した状態とし、そのレジ袋内に物品を収容すれば、左右の各持ち手部が物品の重さで引っ張られることがない高さであればよい。すなわち、この別部材の上面が当接すべき面となる。
【００１１】
さらに、このレジ袋保持具によれば、一対の持ち手部掛止棒は、その基端側支持部と先端側支持部とを繋ぐ延出部が、基端側支持部から先端側支持部に向けて各延出部相互の水平方向での距離を拡幅させつつ延びているので、例えば基端側支持部でスタックされている状態では、レジ袋を弛緩させて、自然な垂下姿勢とし、先端側支持部では、左右の各持ち手部を適度に広げることによってレジ袋内に物品を収容する作業性をより向上させることができる。
【００１２】
ここで、前記取付部材には、一対の持ち手部掛止棒同士の間に、支持するレジ袋の封緘部側に向けた面を有する舌片状の板部材が垂下されて設けられており、さらに、その板部材の封緘部側に向けた面には、レジ袋の封緘部に形成された掛止穴に掛け止め可能な掛止棒である封緘部掛止棒が、板部材の下端側から適宜の距離を隔てた位置で張り出して設けられていればより好ましい。
【００１３】
このような構成であれば、例えばレジ担当の店員や買い物客は、まず、スタックされている複数枚のレジ袋から、手前の一枚を取り出す際に、手前の一枚のレジ袋の封緘部を舌片状の板部材に押し付けるようにしつつ、封緘部の掛止棒に抗する方向に手で引き破ることができる。そのため、例えば単に封緘部用の掛止棒のみが張り出して延びているものと比べて、容易に封緘部を引き出すことができる。なお、封緘部を破る場合であっても同様であり、この場合、封緘部の基端側にミシン目を有するレジ袋を好適に用いることができる。
【００１４】
さらに、左右の各持ち手部掛止棒に沿ってそのレジ袋の封緘部を手前に引くことで、封緘部掛止棒と、左右の持ち手部掛止棒の三点によって、レジ袋の開口部が支持されるので、レジ袋の開口をより広く開くことができる。したがって、レジ袋内に物品を収容する作業性をより向上させることができる。
ここで、前記取付部材は、ベース部と、このベース部上に立設する支持ロッドと、この支持ロッドの上部に装着されて前記掛止棒が設けられる取付部と、を備えた構成とすれば好ましい。このような構成であれば、本発明に係るレジ袋保持具をテーブル上に載置して使用する上で好適である。
【００１５】
そして、この取付部は、前記一対の持ち手部掛止棒および封緘部掛止棒の組を、その周方向に複数組備えている構成とすればより好ましい。このような構成であれば、例えばサイズの異なる複数種類のレジ袋を、それぞれ各組毎にスタックさせることができる。また、例えば同じサイズであっても、より多くのレジ袋をスタックさせることができる。
【００１６】
また、前記支持ロッドは、ベース部上に下端側が固定される中空円筒状の下部支持ロッドと、この下部支持ロッドの上端側からその周方向に回転可能に内嵌する中空円筒状の中央部支持ロッドと、この中央部支持ロッドの上端側からその軸方向に摺動可能に内嵌するとともに上部に前記取付部が装着される上部支持ロッドと、中央部支持ロッドに対する上部支持ロッドの軸方向での位置を決めるとともにその係脱を可能とする軸方向高さ調整手段と、を備えた構成とすればより好ましい。なお、軸方向高さ調整手段としては、例えば押しねじを用いることができる。あるいはまた、下部支持ロッドと上部支持ロッドとに貫通穴を軸直方向に複数形成し、相互の貫通穴に、これに内嵌する係止棒を挿通させることによって軸方向高さ調整手段を構成してもよい。
【００１７】
このような構成であれば、前記取付部を周方向に回転させることができるので、例えばレジ担当の店員や買い物客は、より物品の収容作業を行い易い任意の方向に取付部を向けることができる。また、例えばサイズの異なる複数種類のレジ袋をスタックさせる仕様であれば、所望のサイズのレジ袋をスタックしている取付部の面を、収容作業を行い易い任意の方向に向けることができる。さらに、この取付部は、その上下方向の高さを調整することができるので、例えばサイズの異なる複数種類のレジ袋をスタックさせる場合でも、基端側支持部の高さを所望の高さにして、例えばレジ袋を折りたたんだ状態で垂下可能な高さに容易に設定可能である。また、例えばレジ担当の店員は、自身の身長に合わせて先端側支持部の高さを調整することで、レジ袋を開口した状態での、レジ袋内に順に物品を収容する作業性を向上させることができる。
【００１８】
そして、本発明は、支払いカウンターであって、上記本発明に係るレジ袋保持具を支払いカウンターのテーブル上に載置していることを特徴としている。
本発明によれば、そのレジ袋保持具が、上述した作用・効果を奏するので、例えばレジ担当の店員が一名だけで、端末への入力処理とレジ袋内への物品の収容作業とを効率良く行なうことができる。
【発明の効果】
【００１９】
本発明によれば、複数のレジ袋を支持するとともに、そのレジ袋内に物品を収容する作業性を維持または向上させ得るレジ袋保持具およびこれを備えた支払いカウンターを提供することができる。
【発明を実施するための最良の形態】
【００２０】
ここで、本実施形態のレジ袋保持具は、複数枚のレジ袋をテーブル上で支持して、各レジ袋内への物品の収容を助成するために用いられるものなので、まず、このレジ袋保持具に適用されるレジ袋について図４を参照して説明する。なお、同図ではそのレジ袋が折りたたまれて密着した状態を示している。
同図に示すように、このレジ袋Ｐは、一般に、スーパーマーケット等で、買い物客が商品等の物品を持ち帰るために用いられているものと同様のものであり、その上部には持ち手部Ｐ１が左右二箇所にある。そして、その持ち手部Ｐ１同士の間には耳状の封緘部Ｐ３がほぼ中央に形成されている。さらに、その二箇所の持ち手部Ｐ１および封緘部Ｐ３には、それぞれ円形の掛止穴Ｐ２および掛止穴Ｐ４がそれぞれの略中央部に貫通形成されている。
【００２１】
次に、以下、本発明に係るレジ袋保持具およびこれを備えた支払いカウンターの一実施形態について、図面を適宜参照しつつ説明する。
図１は、本発明に係るレジ袋保持具の一実施形態を説明する全体斜視図である。また、図２は、そのレジ袋保持具の要部（図１での右側の組）を説明する図であり、同図（ａ）は、その正面図、（ｂ）は右側面図である。
【００２２】
図１に示すように、本実施形態は、レジ袋保持具５を、支払いカウンター１のテーブル２上面に載置して使用している例である。なお、支払いカウンターについては、本発明に係るレジ袋保持具を備えている点以外は周知のものと同様であるので、その詳細な図示および説明については適宜省略する。
このレジ袋保持具５は、ステンレス製の板、軸およびパイプ材を適宜用いて、それらを主に溶接して形成されており、上記レジ袋Ｐの掛止穴Ｐ２および掛止穴Ｐ４にそれぞれ掛け止め可能な掛止棒と、その掛止棒が取り付けられる取付部材と、を備えて構成されている。
【００２３】
詳しくは、図１に示すように、取付部材８は、ベース部１０と、このベース部１０上に立設する支持ロッド１１と、この支持ロッド１１の上部に設けられる取付部１６と、を備えて構成されている。
ベース部１０は、テーブル上に載置可能な大きさに形成された、ステンレス製で略長方形状の板部材である。また、その大きさは、その上面に他の部材が装着され、さらに上述のレジ袋Ｐが複数枚掛け止められた際にも安定した載置状態を維持可能な質量をもつ大きさになっている。そして、このベース部１０上面のほぼ中央に、支持ロッド１１がほぼ垂直に立設している。
この支持ロッド１１は、同図に示すように、下部支持ロッド１２と、中央部支持ロッド１３と、上部支持ロッド１４と、を備えて構成されている。
詳しくは、図２（ｂ）に示すように、下部支持ロッド１２は、適宜の長さをもつ中空円筒状のパイプ部材であり、その下端が、ベース部１０上面に溶接で直接固定されている。
【００２４】
中央部支持ロッド１３は、中空円筒状のパイプ部材であり、その長さは下部支持ロッド１２より長い。そして、その外径寸法は下部支持ロッド１２の内径寸法より僅かに小さい寸法になっており、下部支持ロッド１２の上端側からその周方向に回転可能に内嵌している。なお、中央部支持ロッド１３の下端部は、ベース部１０上面に当接しており、上部が下部支持ロッド１２の上端より突出している。そして、中央部支持ロッド１３には、その下部支持ロッド１２の上端より突出している部分の略中央部に、穴１３ｂが軸直方向に貫通形成されており、この穴１３ｂに対向する位置にナット１３ａが溶接されている。そして、このナット１３ａの雌ねじに、軸方向高さ調整手段である押しねじ１５の雄ねじ部が螺合して装着されている。
【００２５】
上部支持ロッド１４は、適宜の長さをもつ中実円筒状の軸部材であり、その外径寸法は中央部支持ロッド１３の内径寸法より僅かに小さい寸法になっており、中央部支持ロッド１３の上端側からその軸方向に摺動可能に内嵌している。
これにより、この支持ロッド１１は、押しねじ１５によって、中央部支持ロッド１３に対する上部支持ロッド１４の軸方向（高さ方向）での位置を決めるとともに、押しねじ１５を締めるあるいは緩めることによって、その係脱が可能になっている。すなわち、押しねじ１５を緩めた状態で、中央部支持ロッド１３に対し、上部支持ロッド１４が軸方向に摺動して高さ方向に移動可能になっている。また、押しねじ１５を締めた状態で、中央部支持ロッド１３および上部支持ロッド１４が一体となって、下部支持ロッド１２に対し周方向に回転可能になっている。
そして、上部支持ロッド１４の上部には、平面視で略三角形状の取付部１６が装着されている。
【００２６】
詳しくは、図１および図２に示すように、取付部１６は、ステンレス製の略三角形の板部材からなる取付板１８と、この取付板１８の三辺それぞれに溶接で固定される中実円筒状の取付部外枠１７と、を備えて構成されている。そして、上部支持ロッド１４の上端部には、上部支持ロッド１４の外径より大きな径の端部カラー１４ａが固定されており、取付部１６は、その取付板１８の略中央部を、端部カラー１４ａに溶接で固定されて装着されている。
そして、このレジ袋保持具５は、略三角形状の取付部１６の各辺に、一対の持ち手部掛止棒、および封緘部掛止棒の組を、それぞれ備えている。
【００２７】
すなわち、図１に示すように、一対の持ち手部掛止棒４０Ａ，４０Ａ、および一対の持ち手部掛止棒４０Ｂ，４０Ｂは、レジ袋Ｐの二箇所の持ち手部Ｐ１にそれぞれ形成された掛止穴Ｐ２にそれぞれ掛け止め可能な掛止棒になっている。また、封緘部掛止棒３０Ａ、３０Ｂは、レジ袋Ｐの封緘部Ｐ３に形成された掛止穴Ｐ４に掛け止め可能な掛止棒になっている。
【００２８】
ここで、図１に示すいずれか一つの辺と他の辺との組は、高さの設定のみが異なり、その他の構成は同様である。また、図１では図示していない裏面側となる辺についても、一対の持ち手部掛止棒および封緘部掛止棒の組を備えているが、その構成も同様なので、以下、同図の右側の組である、一対の持ち手部掛止棒４０Ａ，４０Ａ、および封緘部掛止棒３０Ａについて図２を適宜参照しつつ説明し、他の組についてはその説明を適宜省略する。
【００２９】
図２に示すように、一対の持ち手部掛止棒４０Ａ，４０Ａは、取付部外枠１７に、相互が水平方向に適宜の距離Ｗ１を隔てて張り出して設けられている。なお、この距離Ｗ１は、複数枚のレジ袋Ｐを水平方向で適度に弛緩させて支持可能な距離になっている。
詳しくは、各持ち手部掛止棒４０Ａ，４０Ａは、取付部外枠１７に一方の端部が溶接されており、その溶接部から奥行方向で手前側に向けてほぼ水平に延びる部分が基端側支持部４２になっている。
なお、基端側支持部４２は、高さの設定を変える場合、例えば図１左側に示す一対の持ち手部掛止棒４０Ｂ，４０Ｂのように、取付部材側に高さ方向に延びる基端側高さ調整部４１を含んで構成することができる。
【００３０】
この基端側支持部４２は、複数枚のレジ袋を必要十分な枚数だけ掛け止め可能な長さだけほぼ水平に延びており、さらに、奥行方向の手前側がほぼ直角に下方に向けて曲げられている。そして、その曲げられた先の途中部分が、基端側支持部４２より低い位置に向けて且つ各持ち手部掛止棒４０Ａ，４０Ａ相互の水平方向での距離を拡幅させつつ延びる延出部４４になっている。さらに、この延出部４４は、その下端部分で再び奥行方向で手前側に向けてほぼ直角に曲げられている。ここで、この曲げ位置での一対の持ち手部掛止棒４０Ａ，４０Ａ同士の水平方向での距離Ｗ２は、基端側支持部４２同士の距離Ｗ１より広い。また、この曲げ位置の高さＷ４は、レジ袋Ｐが折りたたまれて密着した状態での持ち手部Ｐ１の掛止穴Ｐ２上端から底部Ｐ５までの距離ＨＰ（図４参照）より短い。
【００３１】
そして、この曲げ位置の高さＷ４で曲げられた手前側の部分が先端側支持部４６になっている。つまり、この曲げ位置の高さＷ４は、先端側支持部４６でレジ袋Ｐを開口した状態でレジ袋Ｐの底部Ｐ５（図４参照）をベース部１０上面（図２（ｂ）参照）に当接させる高さになっている。ここで、本実施形態の例では、ベース部１０上面が上記当接すべき面に対応する。そして、この先端側支持部４６は、その位置でレジ袋Ｐ内に物品を収容する作業に必要十分な長さだけほぼ水平に延びており、奥行方向で手前側の端部がやや鋭角に上方且つ奥側に向けて曲げられている。また、この先端側支持部４６には、その上側の部分に溝４６ａが奥行方向に適宜の間隔で複数形成されており、これにより、先端側支持部４６での物品を収容する作業中に、レジ袋Ｐの持ち手部Ｐ１がずれることを防止するようになっている。
【００３２】
そして、取付部外枠１７には、一対の持ち手部掛止棒４０Ａ，４０Ａ同士の間に、支持するレジ袋Ｐの封緘部Ｐ３側に面を向けた舌片状の板部材２０Ａが垂下されて設けられている。
板部材２０Ａは、取付部外枠１７側にその一端が溶接されており、溶接部分からほぼ真下に延びる垂下部２２と、その垂下部２２の先端側の、奥行方向で手前側に向けて僅かに曲げられている先端側曲げ部２４と、を有している。ここで、先端側曲げ部２４の奥行方向で手前側に向けた面の位置は、掛け止められたレジ袋Ｐの封緘部Ｐ３の丁度裏側となる位置に設けられている。
【００３３】
さらに、その板部材２０Ａには、封緘部掛止棒３０Ａが、奥行方向で手前側に向けて張り出して設けられている。この封緘部掛止棒３０Ａは、レジ袋Ｐの封緘部Ｐ３に形成された掛止穴Ｐ４に掛け止め可能な掛止棒であり、板部材２０Ａの幅方向中央、且つ下端側から適宜の距離を隔てた位置（垂下部２２の下方）にその一方の端部が溶接され、その溶接部からほぼ水平に延びる部分が封緘部支持部３２になっている。
【００３４】
この封緘部支持部３２は、複数枚のレジ袋を必要十分な枚数だけ掛け止め可能な長さだけほぼ水平に延びており、さらに、奥行方向の手前側がほぼ直角に上方に向けて曲げられて先端側折返し部３４になっている。ここで、封緘部支持部３２の高さは、持ち手部掛止棒４０Ａ，４０Ａの先端側支持部４６の高さより高い位置になっている（図２（ａ）での符号Ｗ５）。また、封緘部支持部３２の高さは、持ち手部掛止棒４０Ａ，４０Ａの基端側支持部４２の高さより低い位置になっている（図２（ａ）での符号Ｗ３）。
【００３５】
次に、このレジ袋保持具およびこれを備えた支払いカウンターの作用・効果について説明する。
このレジ袋保持具５では、まず、図３（ａ）に示すように、複数枚のレジ袋Ｐをテーブル２上で支持して、各レジ袋Ｐ内への物品の収容を助成するために、予め、複数枚のレジ袋Ｐを、このレジ袋保持具５に積層されて密着した状態で掛止めておく。
【００３６】
このとき、一対の持ち手部掛止棒４０Ａ，４０Ａは、その基端側支持部４２で、レジ袋Ｐを折りたたんだ状態で垂下可能な高さになるように、支持ロッド１１の押しねじ１５によって上部支持ロッド１４の軸方向高さを調整して設定しておく。これにより、その位置で、複数枚のレジ袋Ｐを水平方向で適度に弛緩させて、自然な垂下姿勢でスタックさせておくことができる。
そして、このレジ袋保持具５を備えた支払いカウンター１では、まず、レジ担当の店員は、図３（ａ）に示すように、スタックされた複数枚のレジ袋Ｐから、手前の一枚のレジ袋Ｐの封緘部Ｐ３を掛止棒３０Ａに抗する方向に手で引き破る。
【００３７】
このとき、このレジ袋保持具５によれば、封緘部掛止棒３０Ａが、板部材２０Ａの下端側から適宜の距離を隔てた位置で張り出して設けられており、封緘部Ｐ３の裏面側に、板部材２０Ａを有している。つまり、この板部材２０Ａは、その先端側曲げ部２４の奥行方向で手前側に向けた面の位置が、掛け止められたレジ袋Ｐの封緘部Ｐ３の丁度裏側となる位置に設けられているので、手前の一枚を取り出す際に、そのレジ袋Ｐの封緘部Ｐ３を舌片状の板部材２０Ａ（先端側曲げ部２４）に押し付けるようにしつつ、封緘部Ｐ３の掛止棒３０Ａに抗する方向に手で引き破ることができる。そのため、例えば単に封緘部用の掛止棒のみが単に水平方向に延びているものと比べて、封緘部Ｐ３を容易に引き出すことができる。
【００３８】
次いで、図３（ｂ）に示すように、レジ担当の店員は、手前の一枚のレジ袋Ｐの封緘部Ｐ３を手で摘み、左右の各持ち手部Ｐ１を、各持ち手部掛止棒４０Ａ，４０Ａの延出部４４に沿って手前に引き出す。
このとき、このレジ袋保持具５によれば、左右の延出部４４は、基端側支持部４２から先端側支持部４６に向けて各持ち手部掛止棒４０Ａ，４０Ａ相互の水平方向での距離を拡幅させつつ延びているので、レジ袋Ｐを上方の基端側支持部４２から下方の先端側支持部４６に円滑に引き出すことができる。そして、先端側支持部４６では、左右の各持ち手部Ｐ１を適度に広げることができる。そのため、レジ袋Ｐの開口を開いて、レジ袋Ｐ内に物品Ｇを収容する作業性を向上させることができる。
【００３９】
次いで、図３（ｃ）に示すように、さらに、左右の各持ち手部掛止棒４０Ａ，４０Ａに沿ってそのレジ袋Ｐの封緘部Ｐ３を手前に引くことで、封緘部掛止棒３０Ａと、左右の持ち手部掛止棒４０Ａ，４０Ａの三点によってレジ袋Ｐの開口部が支持されるので、レジ袋Ｐの開口をより広く開くことができる。したがって、レジ袋Ｐ内に物品Ｇを収容する作業性をより向上させることができる。
【００４０】
次いで、図３（ｄ）に示すように、レジ袋Ｐ内に物品Ｇを収容する。このとき、このレジ袋保持具５によれば、先端側支持部４６は、レジ袋Ｐの底部Ｐ５をベース部１０の上面に当接させることができる高さになっているので、この位置でレジ袋Ｐを開口した状態とし、そのレジ袋Ｐ内に物品Ｇを収容しても、左右の各持ち手部Ｐ１が物品Ｇの重さで引っ張られることがない。そのため、レジ袋Ｐの開口部が張力で狭められることがないので、レジ袋Ｐ内に順に物品Ｇを収容する作業性を維持または向上させることができる。
【００４１】
次いで、図３（ｅ）〜（ｆ）に示すように、レジ袋Ｐ内に物品Ｇを収容した後、レジ担当の店員は、左右の各持ち手部掛止棒４０Ａ，４０Ａからレジ袋Ｐの左右の各持ち手部Ｐ１を外して、物品Ｇを収容したレジ袋Ｐを買い物客に渡すことができる。これにより、レジ担当の店員は、一名で、端末への入力処理とレジ袋内への物品の収容作業とを効率良く行なうことができる。
【００４２】
ここで、このレジ袋保持具５によれば、上記取付部材８は、テーブル２上に載置可能なベース部１０と、このベース部１０上に立設する支持ロッド１１と、この支持ロッド１１の上部に略水平に装着されて持ち手部掛止棒４０Ａ，４０Ａ、および封緘部掛止棒３０Ａが設けられる取付部１６と、を備えた構成としており、いわばスタンド状の取付部材としているので、このレジ袋保持具５をテーブル２上に載置して使用する上で好適である。
【００４３】
そして、このレジ袋保持具５によれば、その取付部１６を平面視で略三角形状に形成し、その各辺に、一対の持ち手部掛止棒および封緘部掛止棒の組を、それぞれ備えた構成としているので、例えばサイズの異なる複数種類のレジ袋Ｐを、それぞれ各組毎にスタックさせることができる。また、例えば同じサイズであっても、より多くのレジ袋Ｐをスタックさせることができる。
【００４４】
また、このレジ袋保持具５によれば、支持ロッド１１は、ベース部１０上に固定される中空円筒状の下部支持ロッド１２と、この下部支持ロッド１２に対し周方向に回転可能に内嵌する中空円筒状の中央部支持ロッド１３と、この中央部支持ロッド１３に対し軸方向に摺動可能に内嵌するとともに上部に取付部１６が装着される上部支持ロッド１４と、を有する構成としているので、取付部１６を周方向に回転させることができる。そのため、レジ担当の店員は、物品Ｇの収容作業をより行い易い任意の方向に取付部１６を向けることができる。また、例えばサイズの異なる複数種類のレジ袋Ｐをスタックさせる仕様であれば、所望のサイズのレジ袋Ｐをスタックしている取付部１６の面を、収容作業を行い易い任意の方向に向けることができる。
【００４５】
さらに、このレジ袋保持具５によれば、その取付部１６は、中央部支持ロッド１３に対し押しねじ１５を備えており、中央部支持ロッド１３に対し上部支持ロッド１４の軸方向での位置を決めるとともにその係脱を可能とする構成としているので、取付部１６の上下方向の高さを調整することができる。そのため、例えばサイズの異なる複数種類のレジ袋Ｐたたんだ状態で垂下可能な高さに容易に設定可能である。また、レジ担当の店員は、自身の身長に合わせて先端側支持部４６の高さを調整することで、レジ袋Ｐを開口した状態での、レジ袋内に順に物品Ｇを収容する作業性をより向上させることができる。
【００４６】
以上説明したように、このレジ袋保持具５およびこれを備えた支払いカウンター１によれば、複数のレジ袋Ｐを折りたたんだ状態で支持するとともに、そのレジ袋Ｐ内に物品Ｇを収容する作業性を維持または向上させることができる。
なお、本発明に係るレジ袋保持具およびこれを備えた支払いカウンターは、上記実施形態に限定されるものではなく、本発明の趣旨を逸脱しなければ種々の変形が可能である。
【００４７】
例えば、上記実施形態では、本発明に係るレジ袋保持具５を支払いカウンター１のテーブル２の上面に載置して使用している例で説明したが、これに限定されず、支払いカウンター以外の場所で使用可能なことは勿論である。しかし、支払いカウンターにおいて、例えばレジ担当の店員が一名だけで、端末への入力処理とレジ袋内への物品の収容作業とを効率良く行ない得る構成とする上では、本発明に係るレジ袋保持具を支払いカウンターのテーブル上に載置した構成とすることが好ましい。
【００４８】
また、上記実施形態では、取付部材８は、ベース部１０、支持ロッド１１、および取付部１６を備えた構成とし、いわばスタンド状に形成した例で説明したが、これに限定されず、例えば取付部材を単に一枚の板部材としたり、Ｌ型のアングル状に形成してもよい。しかし、本発明に係るレジ袋保持具を支払いカウンターのテーブル上に載置して使用する上では、上記実施形態のような、いわばスタンド状に形成すれば好適である。
【００４９】
また、上記実施形態では、一対の持ち手部掛止棒同士の間に、さらに封緘部掛止棒を備えた構成例で説明したが、これに限定されず、本発明に係るレジ袋保持具は、少なくとも一対の持ち手部掛止棒を備えていればよい。しかし、レジ袋Ｐを円滑に引き出すとともに、レジ袋Ｐの開口部を三点によって支持してレジ袋Ｐ内に物品Ｇを収容する作業性をより向上させる上では、上記実施形態のように、一対の持ち手部掛止棒同士の間に封緘部掛止棒を備えた構成とすることが好ましい。
【００５０】
また、上記実施形態では、取付部材８の取付部１６を平面視で略三角形状とし、その各辺に、一対の持ち手部掛止棒および封緘部掛止棒の組を、それぞれ備えている構成例で説明したが、これに限定されず、一対の持ち手部掛止棒および封緘部掛止棒の組を一組のみ備えて構成してもよい。しかし、例えばサイズの異なる複数種類のレジ袋Ｐを、それぞれ各組毎にスタックさせたり、また、例えば同じサイズであっても、より多くのレジ袋Ｐをスタックさせる上では、取付部材８の取付部１６を略三角形状とし、その各辺に、一対の持ち手部掛止棒および封緘部掛止棒の組を、それぞれ備えて構成すれば好適である。また、上記実施形態では、取付部１６を略三角形状とした例で説明したが、これに限定されず、取付部１６は、前記一対の持ち手部掛止棒および封緘部掛止棒の組を、その周方向に複数組装着可能であれば、種々の形状とすることができる。例えば取付部１６を平面視で、四角形や五角形等、他の多角形状とすることができる。また、その各辺それぞれに一対の持ち手部掛止棒および封緘部掛止棒の組を全て備えることもなく、例えば、取付部１６を略四角形とし、その各辺のうち少なくとも二辺に、一対の持ち手部掛止棒および封緘部掛止棒の組を、それぞれ備える等、適宜の組合わせとすることができる。
【図面の簡単な説明】
【００５１】
【図１】本発明に係るレジ袋保持具およびこれを備えた支払いカウンターの一実施形態を説明する全体斜視図である。
【図２】本発明に係るレジ袋保持具の一実施形態を説明する図であり、同図（ａ）は、要部の正面図、（ｂ）は、その右側面図である。
【図３】本発明に係るレジ袋保持具およびこれを備えた支払いカウンターの一実施形態の作用を説明する図である。
【図４】レジ袋を説明する図であり、同図ではレジ袋が折りたたまれて密着した状態を平面視で示している。
【符号の説明】
【００５２】
１    支払いカウンター
２    テーブル
５    レジ袋保持具
８    取付部材
１０    ベース部
１１    支持ロッド
１２    下部支持ロッド
１３    中央部支持ロッド
１４    上部支持ロッド
１５    押しねじ（軸方向高さ調整手段）
１６    取付部
１７    取付部外枠
１８    取付板
２０Ａ、３０Ｂ    板部材
２２    垂下部
２４    先端側曲げ部
３０Ａ、３０Ｂ    封緘部掛止棒（掛止棒）
３２    封緘部支持部
３４    先端側折返し部
４０Ａ、４０Ｂ    持ち手部掛止棒（掛止棒）
４１    基端側高さ調整部
４２    基端側支持部
４４    延出部
４６    先端側支持部
４８    先端側折返し部
Ｐ    レジ袋
Ｐ１    持ち手部
Ｐ２    （持ち手部の）掛止穴
Ｐ３    封緘部
Ｐ４    （封緘部の）掛止穴
Ｐ５    （レジ袋の）底部
Ｇ    物品
Ｗ１    一対の持ち手部掛止棒の基端側支持部同士の水平方向での距離
Ｗ２    一対の持ち手部掛止棒の先端側支持部同士の水平方向での距離
Ｗ３    各持ち手部掛止棒の基端側支持部と封緘部掛止棒の封緘部支持部との高さ方向での距離
Ｗ４    各持ち手部掛止棒の先端側支持部とベース部上面（当接すべき面）との高さ方向での距離
Ｗ５    各持ち手部掛止棒の先端側支持部と封緘部掛止棒の封緘部支持部との高さ方向での距離
ＨＰ    レジ袋が折りたたまれて密着した状態での持ち手部の掛止穴上端から底部までの距離
【図１】
2007069953.tif 000003
【図２】
2007069953.tif 000004
【図３】
2007069953.tif 000005
【図４】
2007069953.tif 000006